(57)【要約】【課題】設備機器や煩雑な処理を追加することなく、対面サービスの実施状況を収集し、簡易にマーケティング情報を取得する。【解決手段】  対面サービスを提供するためのアプリケーションを移動端末２上で実行し、対面サービスの提供を受けるための操作を受け付ける表示部２２ａを構築する実行処理部２５ｃと、表示部２２ａの有効及び無効を切り換えるＵＩ制御部２５ｄと、表示部２２ａを有効とするための条件が満たされたか否かを判定する実行条件判定部２５ａと、表示部２２ａが受け付けた操作に関する情報を実施状況通知として送信する実施状況通知部２５ｂとを備える。【選択図】  図２
2011039700.tif 000002
【特許請求の範囲】
【請求項１】
通信ネットワークに接続可能な移動端末を使用するユーザーに対し、対面サービスを提供する対面サービス提供システムであって、
前記対面サービスを提供するためのアプリケーションを前記移動端末上で実行し、前記対面サービスの提供を受けるための操作を受け付けるユーザーインターフェースを構築する実行処理部と、
前記移動端末における前記ユーザーインターフェースの有効及び無効を切り換えるユーザーインターフェース制御部と、
前記ユーザーインターフェースを有効とするための条件が満たされたか否かを判定する実行条件判定部と、
前記ユーザーインターフェースが受け付けた操作に関する情報を実施状況通知として、前記移動端末から前記管理サーバ装置に対して送信する実施状況通知部と、
前記移動端末から、前記通信ネットワークを通じて前記実施状況通知を受信し、受信された実施状況通知から抽出されたデータを蓄積する管理サーバ装置とを備え、
前記ユーザーインターフェース制御部は、前記実行条件判定部が、前記条件が満たされたと判定した場合に、前記ユーザーインターフェースを有効化し、前記対面サービスの提供を受けるための操作を受け付け可能とする
ことを特徴とする対面サービス提供システム。
【請求項２】
前記移動端末の現在位置を計測する位置情報取得部をさらに備え、
前記実行条件判定部は、前記移動端末の現在位置が、前記対面サービスを提供する店舗等の所定エリア内となったときに、前記条件が満たされたと判定する
ことを特徴とする請求項１に記載の対面サービス提供システム。
【請求項３】
現在時刻を計時する計時部をさらに備え、
前記実行条件判定部は、前記現在時刻が、所定の時刻、又は期間内となったときに、前記条件が満たされたと判定する
ことを特徴とする請求項１に記載の対面サービス提供システム。
【請求項４】
前記管理サーバ装置は、蓄積された前記対面サービスの実施状況を集計し、その集計結果に基づいて、前記移動端末の前記実行条件判定部に対し、前記ユーザーインターフェースを有効とするための条件を設定又は更新する
ことを特徴とする請求項１に記載の対面サービス提供システム。
【請求項５】
前記ユーザーインターフェースは、前記ユーザーの属性を入力するユーザー属性入力部を備え、
前記実施状況通知部は、前記ユーザー属性入力部に入力されたユーザー属性を前記実施状況に含めて前記管理サーバーに送信する
ことを特徴とする請求項１に記載の対面サービス提供システム。
【請求項６】
通信ネットワークに接続可能な移動端末を使用するユーザーに対し、対面サービスを提供する対面サービス提供方法であって、
前記対面サービスを提供するためのアプリケーションを前記移動端末上で実行し、前記対面サービスの提供を受けるための操作を受け付けるユーザーインターフェースを構築する実行処理ステップと、
前記ユーザーインターフェースを有効とするための条件が満たされたか否かを判定する実行条件判定ステップと、
前記実行条件判定ステップにおいて、前記条件が満たされたと判定した場合に、前記ユーザーインターフェースを有効化し、前記対面サービスの提供を受けるための操作を受け付け可能とするユーザーインターフェース制御ステップと、
前記ユーザーインターフェースが受け付けた操作に関する情報を実施状況通知として、前記通信ネットワークに対して送信する実施状況通知ステップと、
前記通信ネットワーク上に配置された管理サーバ装置において、前記移動端末から前記通信ネットワークを通じて前記実施状況通知を受信し、受信された実施状況通知から抽出されたデータを蓄積する管理ステップと
を有することを特徴とする対面サービス提供方法。
【請求項７】
前記実行条件判定ステップでは、前記移動端末の現在位置を計測し、該移動端末の現在位置が、前記対面サービスを提供する店舗等の所定エリア内であるか否かを判定し、
前記実行条件判定ステップでは、前記移動端末の現在位置が、前記所定エリア内なったときに、前記ユーザーインターフェースを有効化する
ことを特徴とする請求項６に記載の対面サービス提供方法。
【請求項８】
前記実行条件判定ステップでは、現在時刻を計時し、前記現在時刻が、所定の時刻、又は期間内であるか否かを判定し、
前記ユーザーインターフェース制御ステップでは、前記現在時刻が、所定の時刻、又は期間内となったときに、前記ユーザーインターフェースを有効化する
ことを特徴とする請求項６に記載の対面サービス提供方法。
【請求項９】
前記管理ステップでは、前記管理サーバ装置において、蓄積された前記対面サービスの実施状況を集計し、その集計結果に基づき、前記実行条件判定部に対し、前記ユーザーインターフェースを有効とするための条件を設定又は更新する
ことを特徴とする請求項６に記載の対面サービス提供方法。
【請求項１０】
前記実施状況通知ステップでは、前記ユーザーインターフェースの属性入力部に入力されたユーザー属性を、前記実施状況に含めて前記管理サーバーに送信することを特徴とする請求項６に記載の対面サービス提供方法。
【請求項１１】
通信ネットワークに接続可能であり、ユーザーに対して対面サービスを提供する際に用いられる移動端末であって、
前記対面サービスを提供するためのアプリケーションを前記移動端末上で実行し、前記対面サービスの提供を受けるための操作を受け付けるユーザーインターフェースを構築する実行処理部と、
前記ユーザーインターフェースの有効及び無効を切り換えるユーザーインターフェース制御部と、
前記ユーザーインターフェースを有効とするための条件が満たされたか否かを判定する実行条件判定部と、
前記ユーザーインターフェースが受け付けた操作に関する情報を実施状況通知として、前記通信ネットワークに対して送信する実施状況通知部と
を備え、前記ユーザーインターフェース制御部は、前記実行条件判定部が、前記条件が満たされたと判定した場合に、前記ユーザーインターフェースを有効化し、前記対面サービスの提供を受けるための操作を受け付け可能とする
ことを特徴とする移動端末。
【請求項１２】
自機の現在位置を計測する位置情報取得部をさらに備え、
前記実行条件判定部は、前記移動端末の現在位置が、前記対面サービスを提供する店舗等の所定エリア内となったときに、前記条件が満たされたと判定する
ことを特徴とする請求項１１に記載の移動端末。
【請求項１３】
現在時刻を計時する計時部をさらに備え、
前記実行条件判定部は、前記現在時刻が、所定の時刻、又は期間内となったときに、前記条件が満たされたと判定する
ことを特徴とする請求項１１に記載の移動端末。
【請求項１４】
前記ユーザーインターフェースは、前記ユーザーの属性を入力するユーザー属性入力部を備え、
前記実施状況通知部は、前記ユーザー属性入力部に入力されたユーザー属性を前記実施状況に含めて前記管理サーバーに送信する
ことを特徴とする請求項１１に記載の移動端末。
【請求項１５】
通信ネットワーク上に配置され、ユーザーに対する対面サービスの実施状況を、該通信ネットワークを通じて管理する管理サーバー装置であり、
前記ユーザーが使用する移動端末から、前記通信ネットワークを通じて、実施状況通知を受信する通信部と、
前記通信部で受信された実施状況通知から抽出されたデータを蓄積する履歴集計データベースと、
前記履歴集計データベースに蓄積されたデータを集計するサービス管理部と
を備え、
前記実施状況通知は、前記移動端末上に構築されたユーザーインターフェースが受け付けた操作に関する情報であり、
前記ユーザーインターフェースは、前記移動端末における所定の条件が満たされたと判定した場合に有効化され、前記対面サービスの提供を受けるための操作を受け付け可能とする
ことを特徴とする管理サーバ装置。
【請求項１６】
前記サービス管理部による集計結果に基づいて、前記移動端末上に構築されたユーザーインターフェースを有効とするための条件を設定する条件設定部と
をさらに備えることを特徴とする請求項１５に記載の管理サーバ装置。
【発明の詳細な説明】
【技術分野】
【０００１】
本発明は、移動端末などの移動端末を使用するユーザーに対し、店舗等において、クーポン券による割引サービスなどの対面サービスを支援する対面サービス提供システム、対面サービス提供方法、移動端末及び管理サーバ装置に関する。
【背景技術】
【０００２】
近年、紙媒体によるクーポン券と同等の効果を有するものとして、クーポン情報が電子的な情報とされた、いわゆる電子クーポンを使用するシステムがある。この従来のシステムについて詳述すると、例えば、ネットワーク上のサーバで配布された電子クーポンを、店舗で利用するシステムとして、まず、店舗のホームページにアクセスし、電子クーポンを携帯電話にダウンロードする。そして、店舗などにおいて、ダウンロードした電子クーポンを携帯電話に表示させ、この表示された電子クーポンを店員などのサービス提供者側に提示することで、携帯電話にダウンロードした電子クーポンを利用できるシステムである。
【０００３】
ここで、上述した従来のシステムでは、単に携帯電話の画面において電子クーポンを表示させるのみであるため、利用者が実際にどこの店舗において電子クーポンを利用したか否かを、サービス提供者側で把握することができず、クーポン利用者についてのマーケティング情報の収集が困難であった。これに対応するべくクーポン利用者のマーケティング情報を得るためにクーポン情報を読み取る特別な機器を各店舗に設置し、その機器から使用した店舗や利用者の情報を得る技術がある（例えば、特許文献１）。また、クーポン情報を読み取る特別な機器を必要とせず、使用時に店舗側の店員が携帯端末に店舗情報を入力することで、その使用した店舗や利用者の情報を得る技術がある（例えば、特許文献２）。
【先行技術文献】
【特許文献】
【０００４】
【特許文献１】特開２００２−２９８０２５号公報
【特許文献２】特開２００２−２７９２８０号公報
【発明の概要】
【発明が解決しようとする課題】
【０００５】
しかしながら、特許文献１に開示された技術においては、クーポンを使用することができる店舗すべてにおいてクーポン情報を読み取る機器などを設置しなくてはならず、設置コストが増大する問題がある。また、特許文献２に開示された技術においては、店舗側が電子クーポンを処理毎にその店舗情報等を入力する必要があり、処理が煩雑となる問題があった。
【０００６】
そこで、本発明は以上の点に鑑みてなされたもので、位置情報や現在時刻など所定の条件が満たされた場合にのみ、移動端末における対面サービスを受けるための操作を可能とし、設備機器や煩雑な処理を追加することなく、サービスの実施状況を収集し、簡易にマーケティング情報を取得できる対面サービス提供システム、対面サービス提供方法、移動端末及び管理サーバ装置を提供することを目的とする。
【課題を解決するための手段】
【０００７】
（対面サービスの提供システム及び提供方法）
上記課題を解決するために、本発明は、通信ネットワークに接続可能な移動端末を使用するユーザーに対し、対面サービスを提供する対面サービス提供システムであって、対面サービスを提供するためのアプリケーションを移動端末上で実行し、対面サービスの提供を受けるための操作を受け付けるユーザーインターフェースを構築する実行処理部と、移動端末におけるユーザーインターフェースの有効及び無効を切り換えるユーザーインターフェース制御部と、ユーザーインターフェースを有効とするための条件が満たされたか否かを判定する実行条件判定部と、ユーザーインターフェースが受け付けた操作に関する情報を実施状況通知として、移動端末から管理サーバ装置に対して送信する実施状況通知部と、移動端末から、通信ネットワークを通じて実施状況通知を受信し、受信された実施状況通知から抽出されたデータを蓄積する管理サーバ装置とを備え、ユーザーインターフェース制御部は、実行条件判定部が、条件が満たされたと判定した場合に、ユーザーインターフェースを有効化し、対面サービスの提供を受けるための操作を受け付け可能とする。
【０００８】
また、他の発明は、通信ネットワークに接続可能な移動端末を使用するユーザーに対し、対面サービスを提供する対面サービス提供方法であって、
（１）対面サービスを提供するためのアプリケーションを移動端末上で実行し、対面サービスの提供を受けるための操作を受け付けるユーザーインターフェースを構築する実行処理ステップと、
（２）ユーザーインターフェースを有効とするための条件が満たされたか否かを判定する実行条件判定ステップと、
（３）実行条件判定ステップにおいて、条件が満たされたと判定した場合に、ユーザーインターフェースを有効化し、対面サービスの提供を受けるための操作を受け付け可能とするユーザーインターフェース制御ステップと、
（４）ユーザーインターフェースが受け付けた操作に関する情報を実施状況通知として、通信ネットワークに対して送信する実施状況通知ステップと、
（５）通信ネットワーク上に配置された管理サーバ装置において、移動端末から通信ネットワークを通じて実施状況通知を受信し、受信された実施状況通知から抽出されたデータを蓄積する管理ステップとを有する。
【０００９】
これらの発明では、例えば、ユーザーの現在位置や、現在時刻など所定の条件が満たされた場合にアプリケーションのユーザーインターフェースが操作可能となり、条件が満たされている限りにおいて、対面サービスを受けるための操作を行うことができる。この対面サービスを受けるための操作としては、例えば電子クーポン券とともに操作ボタンなどのＧＵＩ（Graphical User Interface）などを移動端末の画面上に表示して提示させ、店舗の店員などが操作ボタンをクリックするなどが挙げられる。この操作に応じて、実施状況通知が管理サーバー装置側に送信されるため、これを収集することで、サービス提供側において対面サービスの実施状況を把握することができる。
【００１０】
また、ユーザーインターフェースは、条件が満たされているときのみ操作が可能であることから、対面サービスに関係のない場所や時刻に、ユーザーが誤って操作してしまうことを防止でき、サービスをより確実にユーザーに提供することができるとともに、より正確なマーケティング情報を収集することができる。
【００１１】
上記発明では、移動端末の現在位置を計測し、移動端末の現在位置が、対面サービスを提供する店舗等の所定エリア内となったときに、条件が満たされたと判定することが好ましい。この場合には、ユーザーが、店舗などの所定エリアに進入するとアプリケーションのユーザーインターフェースが操作可能となることから、対面サービスに関係のない場所で、ユーザーが誤って操作してしまうことを防止でき、サービスをより確実にユーザーに提供することができるとともに、より正確なマーケティング情報を収集することができる。
【００１２】
上記発明において、現在時刻を計時し、現在時刻が、所定の時刻、又は期間内となったときに、条件が満たされたと判定することが好ましい。この場合には、サービスの提供期間が限定されているような場合に、その期間が到来するとアプリケーションのユーザーインターフェースが操作可能となることから、対面サービスに関係のない時間に、ユーザーが誤って操作してしまうことを防止でき、サービスをより確実にユーザーに提供することができるとともに、より正確なマーケティング情報を収集することができる。
【００１３】
上記発明において、管理サーバーは、蓄積された対面サービスの実施状況を集計し、その集計結果に基づいて、移動端末の実行条件判定部に対し、ユーザーインターフェースを有効とする条件を設定又は更新することが好ましい。この場合には、例えば、対面サービスが所定の人数に限定されている場合などに、先着順や抽選などで任意又は無作為で選択したユーザーに対してのみ、サービスを提供することができる。
【００１４】
上記発明において、ユーザーインターフェースは、ユーザーの属性を入力するユーザー属性入力部を備え、実施状況通知部は、ユーザー属性入力部に入力されたユーザー属性を実施状況に含めて管理サーバーに送信することが好ましい。この場合には、サービス提供側で、年齢、性別などのユーザーの属性に応じて、サービスの実施の可否を選択することができ、ユーザー側のニーズに適合させたサービスを提供できる。
【００１５】
（対面サービスの移動端末及び管理サーバ）
上記対面サービス提供システム及び提供方法では、以下のような他の発明である対面サービスの移動端末及び管理サーバー装置を用いることができる。
【００１６】
すなわち、対面サービスの移動端末の発明は、通信ネットワークに接続可能であり、ユーザーに対して対面サービスを提供する際に用いられる移動端末であって、対面サービスを提供するためのアプリケーションを移動端末上で実行し、対面サービスの提供を受けるための操作を受け付けるユーザーインターフェースを構築する実行処理部と、ユーザーインターフェースの有効及び無効を切り換えるユーザーインターフェース制御部と、ユーザーインターフェースを有効とするための条件が満たされたか否かを判定する実行条件判定部と、ユーザーインターフェースが受け付けた操作に関する情報を実施状況通知として、通信ネットワークに対して送信する実施状況通知部とを備え、ユーザーインターフェース制御部は、実行条件判定部が、条件が満たされたと判定した場合に、ユーザーインターフェースを有効化し、対面サービスの提供を受けるための操作を受け付け可能とすることを特徴とする。
【００１７】
この発明によれば、例えば、ユーザーの現在位置や、現在時刻など所定の条件が満たされた場合にアプリケーションのユーザーインターフェースが操作可能となり、条件が満たされている限りにおいて、対面サービスを受けるための操作を行うことができる。
【００１８】
この対面サービスを受けるための操作としては、例えば電子クーポン券とともに、操作ボタンなどのＧＵＩ（Graphical User Interface）を移動端末の画面上に表示して提示させ、店舗の店員などが操作ボタンをクリックするなどが挙げられる他、パスワード入力用のフィールド、あるいはクリック可能なＵＲＬ等に対する文字の入力やＵＲＬのクリックなども含まれる。
【００１９】
本発明では、これらの操作に応じて、実施状況通知が移動端末から管理サーバー装置側に送信されるため、これを収集することにより、サービス提供側において対面サービスの実施状況を把握することができる。また、ユーザーインターフェースは、条件が満たされているときのみ操作が可能であることから、対面サービスに関係のない場所や時刻に、ユーザーが誤って操作してしまうことを防止でき、サービスをより確実にユーザーに提供することができるとともに、より正確なマーケティング情報を収集することができる。
【００２０】
上記発明において、自機の現在位置を計測する位置情報取得部をさらに備え、実行条件判定部は、移動端末の現在位置が、対面サービスを提供する店舗等の所定エリア内となったときに、条件が満たされたと判定することが好ましい。この場合には、ユーザーが、店舗などの所定エリアに進入するとアプリケーションのユーザーインターフェースが操作可能となることから、対面サービスに関係のない場所で、ユーザーが誤って操作してしまうことを防止でき、サービスをより確実にユーザーに提供することができるとともに、より正確なマーケティング情報を収集することができる。
【００２１】
上記発明において、現在時刻を計時する計時部をさらに備え、実行条件判定部は、現在時刻が、所定の時刻、又は期間内となったときに、条件が満たされたと判定することが好ましい。この場合には、サービスの提供期間が限定されているような場合に、その期間が到来するとアプリケーションのユーザーインターフェースが操作可能となることから、対面サービスに関係のない時間に、ユーザーが誤って操作してしまうことを防止でき、サービスをより確実にユーザーに提供することができるとともに、より正確なマーケティング情報を収集することができる。
【００２２】
上記発明において、ユーザーインターフェースは、ユーザーの属性を入力するユーザー属性入力部を備え、実施状況通知部は、ユーザー属性入力部に入力されたユーザー属性を実施状況に含めて管理サーバーに送信することが好ましい。この場合には、サービス提供側で、年齢、性別などのユーザーの属性に応じて、サービスの実施の可否を選択することができ、ユーザー側のニーズに適合させたサービスを提供できる。
【００２３】
一方、対面サービスの管理サーバー装置の発明は、通信ネットワーク上に配置され、ユーザーに対する対面サービスの実施状況を、通信ネットワークを通じて管理する管理サーバー装置であり、ユーザーが使用する移動端末から、通信ネットワークを通じて、実施状況通知を受信する通信部と、通信部で受信された実施状況通知から抽出されたデータを蓄積する履歴集計データベースと、履歴集計データベースに蓄積されたデータを集計するサービス管理部とを備え、実施状況通知は、移動端末上に構築されたユーザーインターフェースが受け付けた操作に関する情報であり、ユーザーインターフェースは、移動端末における所定の条件が満たされたと判定した場合に有効化され、対面サービスの提供を受けるための操作を受け付け可能とすることを特徴とする。
【００２４】
このような発明によれば、管理サーバー装置は、移動端末のユーザーインターフェースが受け付けた操作に関する実施状況通知を受信し、実施状況通知から抽出されたデータを蓄積し、集計するので、サービス提供側において対面サービスの実施状況を把握することができ、正確なマーケティング情報を収集することができる。
【００２５】
上記発明において、管理サーバー装置は、サービス管理部による集計結果に基づいて、移動端末上に構築されたユーザーインターフェースを有効とするための条件を設定する条件設定部とをさらに備えることが好ましい。この場合には、例えば、対面サービスが所定の人数に限定されている場合などに、先着順や抽選などで任意又は無作為で選択したユーザーに対してのみ、サービスを提供することができる。
【発明の効果】
【００２６】
以上述べたように、この発明によれば、移動端末を使用するユーザーに対し、店舗等の所定のエリア内において対面サービスを提供する際、移動端末において、位置情報や現在時刻など所定の条件が満たされた場合にのみ対面サービスを受けるための操作を可能とし、設備機器や煩雑な処理を追加することなく、サービスの実施状況を収集し、簡易にマーケティング情報を取得することができる。
【図面の簡単な説明】
【００２７】
【図１】本実施形態に係る対面サービス提供システムの全体構成を示す概念図である。
【図２】実施形態に係るユーザー端末の内部構成を示すブロック図である。
【図３】実施形態に係る基地局及び中継装置の内部構成を示すブロック図である。
【図４】実施形態に係る管理サーバー群の内部構成を示すブロック図である。
【図５】実施形態に係る表示部に表示された電子クーポンを示す画面構成図であり、（ａ）は実行ボタンが無効となっている状態、（ｂ）は実行ボタンが有効となっている状態を示す。
【図６】実施形態に係る対面サービス提供システムにおいて、電子クーポンを利用する際の動作を示すフローチャート図である。
【図７】変更例に係る表示部に表示された電子クーポンを示す画面構成図である。
【図８】変更例に係る表示部に表示された電子回数券を示す画面構成図である。
【図９】変更例に係る表示部に表示された電子タクシーチケットを示す画面構成図である。
【発明を実施するための形態】
【００２８】
（システムの全体構成）
以下に添付図面を参照して、本発明に係る対面サービス提供システムの実施形態を詳細に説明する。図１は、本実施形態に係る対面サービス提供システムの全体構成を示す概念図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００２９】
本実施形態に係る対面サービス提供システムは、インターネットや公衆回線網に接続可能な移動端末２を使用するユーザー１に対し、店舗３０等の所定のエリア内において対面サービスを提供するシステムである。本実施形態では、図１に示すように、インターネット７１上には、管理サーバー８１が配置されており、さらに公衆回線網７２には、中継装置６と、中継装置６に接続された無線基地局４と、無線基地局４を通じて無線通信が可能な移動端末２とが配置されている。
【００３０】
管理サーバ８１は、本実施形態では、電子クーポンの発行や、その利用状況の収集、及び収集結果を用いたマーケティング調査等を行うサービス提供者が運用するサーバー装置である。本実施形態では、電子クーポンを、Ｗｅｂサーバー機能により閲覧可能にインターネット７１上に配置し、専用のビューアーソフトやブラウザソフトにより、当該電子クーポンのＵＲＬにアクセスすることによって、クーポンによる割引サービスを提供している。なお、この電子クーポンのＵＲＬは、例えば電子メールなどで不特定多数のユーザーに対して配布され、そのＵＲＬを辿って電子クーポンを掲載しているＷｅｂページにアクセスすることにより電子クーポンが利用可能となる。
【００３１】
インターネット７１は、通信プロトコルTCP/IPを用いて種々の通信回線（電話回線やISDN回線、ADSL回線、光通信回線などの公衆回線、専用回線、無線通信網）を相互に接続して構築される分散型の通信ネットワーク（ＩＰ網）であり、この通信ネットワークには、10BASE-Tや100BASE-TX等によるイントラネット（企業内ネットワーク）や家庭内ネットワークなどのＬＡＮなども含まれる。公衆回線網７２は、ＰＳＴＮ（Public Switched Telephone Networks）とも呼ばれる一般の加入電話回線ネットワークであり、回線交換方式で発信元と着信先とを接続し音声通話を行う通信回線（電話回線やISDN回線、ADSL回線、光通信回線などで構築される。これらインターネット７１と公衆回線網７２は、ゲートウェイ装置により相互にデータ送受が可能となるように接続されており、移動端末２から、無線基地局４を通じて、公衆回線網７２からインターネット７１へアクセスが可能となっている。
【００３２】
店舗３０は、例えば、コンビニエンスストアや飲食店等の対面によりサービスを提供する施設であり、店員３がレジ等の決済処理を担当している。この店舗３０では、上記管理サーバ８１を利用して、電子メールで電子クーポンをユーザーに配布しており、この電子クーポンを店舗３０内において店員３に提示した場合に、商品の価格を割り引くサービスを実施している。
【００３３】
この店舗３０内には、小型の無線基地局４が設置されており、この無線基地局４を中心とした店舗３０を含むエリアＡ１内に通信ネットワークが形成されている。特に、本実施形態における無線基地局４は、フェムトセル（femtocell）と呼ばれる、半径10m程度の狭小なエリアをカバー範囲とする小規模な携帯電話基地局であり、移動端末２を所持したユーザー１がエリアＡ１内に進入し、在圏したときには、移動端末２と無線基地局４との間で無線リンクが自動的に確立され、これらの間で無線通信が可能となる。
【００３４】
（ユーザー端末の構成）
移動端末２は、無線通信を利用した携帯電話機であり、一般的な基地局等の中継点と無線で通信し、通話やデータ通信等の通信サービスを移動しつつ受けることができる。また、移動端末２は、無線基地局４との間で無線通信を行う機能と、アプリケーションを実行する機能も備えている。この携帯電話機の通信方式としては、例えば、FDMA方式、TDMA方式、CDMA方式、W-CDMAの他、ＰＨＳ（Personal Handyphone System）方式等が挙げられる。また、上述した通信方式とは別の無線通信インターフェースとして、無線ＬＡＮの規格等に準じたＩＰパケットの送受による通信方式に対応した機能も備えている。さらに、この移動端末２は、デジタルカメラ機能、アプリケーションソフトの実行機能、或いはＧＰＳ機能等の機能が搭載され、携帯情報端末(ＰＤＡ)としての機能も果たす。
【００３５】
具体的に移動端末２は、図２に示すように、ユーザーインターフェース系のモジュールとして入力インターフェース２１と、出力インターフェース２２とを備えている。入力インターフェース２１は、操作ボタンやタッチパネル、ジョグダイヤルなどユーザー操作を入力するデバイスである。また、出力インターフェース２２は、ディスプレイやスピーカーなど、映像や音響を出力するデバイスである。特に、この出力インターフェースには、液晶ディスプレイなどの表示部２２ａが含まれており、アプリケーションにより構築されるＧＵＩ（Graphical User Interface）がこの表示部２２ａに表示される。
【００３６】
さらに、移動端末２は、位置情報取得機能２３を備えており、例えば、衛星５からのＧＰＳ信号に基づいて、現在位置の座標を演算したり、接続処理部２７が確立した通信相手である基地局の基地局識別子や、この基地局からの信号強度などの電波状況から、移動端末２自身で自機の位置情報を取得することが可能となっている。また、移動端末２は、現在時刻を計時する計時部２８を備えており、随時現在時刻を取得し、その取得した現在時刻を制御部２５に送信する。
【００３７】
また、移動端末２は、通信系のモジュールとして無線インターフェース２６と、接続処理部２７とを備えている。無線インターフェース２６は、通話や上記femtoセルでのデータ通信を行うための移動通信用のプロトコルによる無線通信と、例えば無線ＬＡＮ等のデータ通信用のプロトコルによる無線通信とを実行する機能を備えている。無線インターフェース２６は、無線ＬＡＮ接続を行うためにIEEE 802.11bに準拠した送受信機能を備えており、本システムによるサービスを受けるために、無線基地局４と一致するESSIDが割り当てられている。なお、この無線インターフェースは、モバイルコンピュータやＰＤＡにおいては、無線ＬＡＮアダプタ等により実現することができる。
【００３８】
ESSIDは、無線LANで使われるネットワークの識別子であり、複数の無線LANで構築されたネットワークにおいて、それぞれのネットワークを識別するため、アクセスポイントである無線基地局４とクライアントである移動端末２の双方で同じESSIDが設定される。そして、このESSIDを通じて、無線基地局４で、自機の無線通信範囲に存在するユーザー端末を検出し、自動的にリンクを設定して、無線ＬＡＮのホットスポットを形成し、データ通信が可能となる。
【００３９】
接続処理部２７は、無線基地局４と無線通信を介して接続するためのモジュールであり、自機を特定するための識別子（電話番号や、ＩＰアドレス、ユーザーＩＤ）を接続対象となる無線基地局４に送信し、認証を行う。なお、接続処理部２７は、無線基地局４との間で無線ＬＡＮ接続を行う場合には、データの送受信を行うためのリンクを張るために、無線信号を監視し、無線基地局４を識別するESSIDを検出するようにしてもよい。
【００４０】
さらに、移動端末２は、アプリケーション実行系のモジュールとして、制御部２５と、メモリ２４とを備えている。制御部２５は、ＣＰＵ等の演算処理装置であり、この制御部２５上で各種プログラムを実行することにより、各機能モジュールを仮想的に構築する。この制御部２５には、アプリケーション実行系のモジュールとして、実行処理部２５ｃと、実行条件判定部２５ａと、実施状況通知部２５ｂとが構築される。
【００４１】
実行処理部２５ｃは、ユーザー１が対面サービスの提供を受けるためのアプリケーションを実行し、対面サービスの提供を受けるための操作を受け付けるユーザーインターフェースを構築するモジュールであり、本実施形態では、電子クーポンを表示する専用のビューワーソフトや、汎用的なブラウザソフトに所定の機能をアドインして起動・実行する。なお、本実施形態では、このアプリケーションは、電子クーポンのビューワーソフトであり、このビューワーソフトは、ユーザーの手動操作により起動され、起動された時点で位置情報の取得と、クーポンの有効期限などの利用条件の参照及び監視を開始し、これらの処理を周期的に実行する。
【００４２】
また、実行処理部２５ｃで実行されるアプリケーション内には、ＵＩ制御部２５ｄが備えられている。このＵＩ制御部２５ｄは、表示部２２ａ上に電子クーポンと、クーポンの利用を確認するための実行ボタン２２ｂとを併せて表示する。この実行ボタン２２ｂは、対面サービスの提供を受けるための操作が入力されるインターフェースであり、この実行ボタン２２ｂに対する操作は、入力インターフェース２１に含まれるエンターキーや、タッチパネルによるクリックなどにより実行することができる。なお、本実施形態では、対面サービスの提供を受けるための操作を受け付けるユーザーインターフェースとして、実行ボタン２２ｂを表示させるようにしたが、本発明はこれに限定されるものではなく、例えば、パスワード入力用のフィールド、あるいはクリック可能なＵＲＬ等を移動端末２などを表示させ、対面サービスの提供を受けるための操作には、これらに対する文字の入力やＵＲＬのクリックなどを含めるようにしてもよい。
【００４３】
また、ＵＩ制御部２５ｄは、図５（ａ）及び（ｂ）に示すように、実行ボタン２２ｂの有効（同図（ｂ）の状態）及び無効（同図（ａ）の状態）を切り換える機能を有しており、実行条件判定部２５ａが、クーポン利用の条件が満たされたと判定した場合に、実行ボタン２２ｂを有効化し、対面サービスの提供を受けるための操作を受け付け可能とする。本実施形態では、ユーザーが店舗３０内に在圏しているときのみ実行ボタン２２ｂを有効化し、店舗３０から離れると実行ボタン２２ｂが無効化されるように制御する。
【００４４】
実施状況通知部２５ｂは、実行ボタン２２ｂが操作されるなど、ユーザー操作が入力された場合に、その操作に関する情報を実施状況通知として、管理サーバー８１に通知するモジュールである。この通知の方式としては、例えば、所定の文字列を記述した電子メールを送信したり、所定のＵＲＬにアクセスして、ＨＴＴＰなどのプロトコルにより所定の情報データを送受信することなどが考えられる。この実施状況通知には、当該移動端末２を特定するための識別子（電話番号、端末ＩＤ）が含まれ、自動的に認証処理を行えるようになっており、送信した実施状況と移動端末とを関連づけて、履歴集計データベース８４に蓄積することができる。
【００４５】
実行条件判定部２５ａは、アプリケーションの実行に関する条件（実行条件）が満たされたか否かを判断し、各移動端末での実行処理部２５ｃによるアプリケーションの実行を規制するモジュールである。この実行条件判定部２５ａで判断される条件には、位置情報や時間情報、実行回数の他、ユーザー認証の可否、ユーザーの属性などの利用条件が含まれる。
【００４６】
位置情報としては、位置情報取得機能２３により取得された現在位置を用いてもよく、また、接続処理部２７が確立した無線通信の相手方である無線基地局４を特定する基地局識別子や電波状況（信号強度等）であってもよい。なお、この基地局識別子としては、当該基地局との通信周波数や、当該基地局が管轄するセル、確立された通信接続に関する拡散コード等を特定するため、当該基地局に固有の所謂スクランブリングコードを用いることもできる。また、時間情報としては、計時部２８から取得された現在時刻を用いる。
【００４７】
そして、実行条件判定部２５ａは、位置情報として、移動端末２の現在位置が対面サービスを提供する店舗３０の所定エリア内となった場合や、時間情報として、現在時刻が所定の時刻、又は期間内となったときに、利用条件が満たされたと判定する。
【００４８】
利用条件としては、例えば、割引サービスを登録会員に限定したり、性別や年齢などの属性に応じて対象ユーザーを限定したり、使用回数に上限を定めたりなどが挙げられる。この利用条件が満たされているか否かの判断は、認証部８１５による認証結果や、ユーザーデータベース８３に蓄積されている当該ユーザーの属性情報、その他履歴集計データベース８４に蓄積されたサービスの利用履歴などに基づいてユーザー毎に行い、この判断結果を条件設定部８１３に通知して、次回からの利用条件（実行条件）に反映させるようになっている。
【００４９】
（無線基地及び中継装置の構成）
無線基地局４は、無線通信を通じて移動端末２との間でデータの送受信をする電波基地局装置であり、本実施形態では、ソフトウェアの展示会会場のエリアＡ１に在圏する通信端末と無線通信を確立する。特に、本実施形態における無線基地局４は、フェムトセル（femtocell）と呼ばれる、半径10m程度の狭小なエリアをカバー範囲とする小規模な携帯電話基地局であり、中継装置６を介して、バックボーンとして光ファイバーやＡＤＳＬなどの公衆回線網７２に接続され、この公衆回線網７２を通じて、インターネット７１に接続されている。
【００５０】
なお、本実施形態では、この無線基地局４をフェムトセル（femtocell）等の小規模な携帯電話基地局としたが、ＬＡＮ（Local Area Network）におけるベースステーションとすることもでき、例えば、「IEEE 802.11b」規格等に準じて複数のユーザー端末とデータの送受を行うアクセスポイントとしてもよい。この場合には、無線基地局４と各移動端末２に、本システムによるサービスを受けるために共通のESSID（Extended Service Set Identifier）が割り当てられ、このESSIDを通じて、無線基地局４で、自機の無線通信範囲に存在するユーザー端末を検出し、自動的にリンクを設定して、無線ＬＡＮのホットスポットを形成する。なお、この無線ＬＡＮの他、例えば、赤外線通信や、Bluetooth等の近距離無線方式を採用することもできる。
【００５１】
中継装置６は、インターネット７に接続するためのモデムやターミナルアダプタ、ゲートウェイ装置等のノード装置であり、通信経路の選択や、データ（信号）の相互変換を行い、無線基地局４と、公衆回線網７２及びインターネット７１との間における中継処理を行う。
【００５２】
具体的に、中継装置６は、図３に示すように、通信系モジュールとして、公衆回線網７２に対する通信インターフェースである通信部６１と、無線基地局４の無線インターフェース４１との接続を制御する接続管理部６５と、無線基地局４に対する無線通信と、公衆回線網７２に対するパケット通信との間で、データ変換を行うデータ変換部６３とを備えている。
【００５３】
また、中継装置６は、移動端末２の現在地を特定するための位置情報管理部６２を備えており、移動端末２が通信を確立した無線基地局４を特定する基地局識別子を管理し、この基地局識別子に基づいて、移動端末２が在圏するフェムトセルを特定し、無線基地局４における移動端末２に対する電波強度を用いるなどして、移動端末２の位置情報を算出する。このように基地局識別子に基づいて得られた位置情報は、移動端末２及び管理サーバー８１に通知される。なお、この基地局識別子による位置情報の特定は、移動端末２側で行い、移動端末２から管理サーバー８１に通知することもできる。
【００５４】
（管理サーバーの構成）
管理サーバー８１は、インターネット７１上の複数のサーバー装置が協働し、クーポンサービスの実施状況を管理するサーバー装置群である。図４は、管理サーバー群の内部構成を示すブロック図である。
【００５５】
管理サーバー８１は、通信系のモジュールとして、通信部８１２と、接続処理部８１１とを備えるとともに、ユーザー管理系のモジュールとしてユーザー登録部８１６と、認証部８１５とを備えている。これらユーザー登録部８１６と認証部８１５には、ユーザーに関する情報を保持するユーザーデータベース８３が接続されている。なお、管理サーバー８１に備えられた各モジュールは、制御部８１８により制御される。
【００５６】
通信部８１２は、パケットデータを送受信することにより各種データをインターネット７に対して送受信する通信デバイスである。本実施形態では、この通信部８１２は、Ｗｅｂページをインターネット上に配信するＷｅｂサーバ機能や電子メール受信機能を備えており、ＨＴＴＰやＳＭＴＰ等のプロトコルにより、移動端末からのＷｅｂサイトへのアクセスや、移動端末との電子メールの送受信を実行し、これらのプロトコルを通じて、実施状況通知を取得することができる。接続処理部８１１は、無線基地局４と、無線基地局４が管轄する所定エリア内に在圏する移動端末２との無線通信を確立させるモジュールである。
【００５７】
認証部８１５は、ユーザーに対するアクセス許可を決定するモジュールであり、ユーザー登録部８１６は、本システムによるサービスを受けるためのユーザー登録を受け付けるモジュールである。これら認証部８１５及びユーザー登録部８１６によるユーザー登録処理や認証処理は、例えば、登録会員限定のサービスである場合に実行される。なお、クーポン等、不特定多数のユーザーに配布するようなコンテンツである場合には、これら認証部８１５による認証処理や、ユーザー登録部８１６によるユーザー登録処理を省略することができる。
【００５８】
具体的に認証部８１５は、アクセス者の正当性を検証するコンピュータ或いはその機能を持ったソフトウェアであり、インターネット７を通じてユーザー名とパスワードの組み合わせを取得し、ユーザーデータベース８３を照合することによって、アクセス者にその権利があるか否かや、そのアクセス者が本人であるか否かなどを確認するモジュールである。ユーザー登録部８１６は、ユーザー登録の際に、ユーザーを特定するための識別子として、ユーザーが使用する端末の電話番号や、ＩＰアドレス、ユーザーＩＤ、パスワードなどを、ユーザーデータベース８３に記録する。
【００５９】
また、管理サーバー８１は、サービス管理系のモジュールとして、条件設定部８１３と、サービス管理部８１７と、データベース管理部８１９とを備え、データベース管理部８１９には、クーポンデータベース８１０及び履歴集計データベース８４が接続されている。
【００６０】
条件設定部８１３は、サービス実施状況の集計結果に基づいて、サービスの提供を規制するモジュールである。具体的には、サービス管理部８１７によって履歴集計データベース８４に蓄積されたサービスの実施履歴の集計結果に基づいて、各移動端末上に構築された実行ボタン等のユーザーインターフェースを有効とする条件を、該当する移動端末の実行条件判定部２５ａに対して設定又は更新する。
【００６１】
この実行条件の設定又は更新は、通信部８１２を通じて移動端末２にアクセスし、移動端末２のメモリ上に保存させる。移動端末２では、実行条件判定部２５ａにより実行条件の判定を行う際、メモリに記録された実行条件を読み出し、その条件の適否を判定する。この条件設定部８１３により設定される実行条件としては、位置情報や時間（有効期限やサービス期間等）、対象ユーザーの属性（性別、年齢など）が含まれる。
【００６２】
サービス管理部８１７は、インターネット７１を通じて各移動端末から実施状況通知を受信し、対面サービスの実施状況を抽出して蓄積し、管理するとともに、各移動端末から受信した前記実施状況を集計するモジュールである。
【００６３】
データベース管理部８１９は、履歴集計データベース８４及びクーポンデータベース８１０等のデータベースに対するデータの入出力を管理するモジュールである。履歴集計データベース８４は、各移動端末から受信した実施状況通知から抽出されたデータを蓄積するデータベース装置であり、クーポンデータベース８１０には、各クーポンによって提供されるサービスの種別や、提供期間、対象ユーザーなどの情報が蓄積されている。
【００６４】
（対面サービスの提供方法）
以上の構成を有する対面サービスの提供システムを動作させることによって、本発明の対面サービスの提供方法を実施することができる。図６は、本実施形態に係る対面サービス提供システムにおいて、電子クーポンを利用する際の動作を示すフローチャート図である。ここでは、移動端末２を使用するユーザー１に対し、店舗３０内における対面販売サービスにおいて、クーポンによる割引サービスを提供する場合を例に説明する。
【００６５】
まず、ユーザーの手動操作によりアプリケーションを起動する（Ｓ１００）。このアプリケーションを移動端末上で実行することにより、対面サービス（クーポンによる割引サービス）を受けるための実行ボタンがユーザー１上に仮想的に構築される。
【００６６】
ここでは、アプリケーションとしてクーポンデータのビューワーソフトを起動する。ビューワーソフトは、起動されることにより、実行ボタンを有効とするための条件が満たされたか否かを判定する。具体的には、位置情報の取得（Ｓ１０１）を開始し、ステップＳ１０２においてユーザーのエリア（店舗３０）内への進入を、ループ処理（Ｓ１０２：Ｎ）により周期的に監視する。ユーザーの現在位置がエリア外である間は、実行ボタンは無効化されており、操作ができないようになっている。
【００６７】
ステップＳ１０１において、ユーザーがエリア（店舗３０）内に進入したと判断した場合（Ｓ１０１：Ｙ）には、次いで、クーポンの有効期限等の利用条件を参照する（Ｓ１０４）。ステップＳ１０４において利用条件を満たしていないと判断したときには（Ｓ１０４：Ｎ）、クーポンが利用できない旨のメッセージを表示するなどのエラー処理を実行（Ｓ１１０）した後、アプリケーションを終了する（Ｓ１０９）。
【００６８】
一方、ステップＳ１０４において、利用条件が満たされていると判断したときには（Ｓ１０４：Ｙ）、実行ボタンを有効化し（Ｓ１０５）、対面サービスの提供を受けるための操作を受け付け可能とする。この実行ボタンが有効化された状態で、移動端末を店員に提示する（Ｓ１０６）。店員は、提示されたクーポンを確認し、クーポンによる割引サービスなどを提供するとともに、実行ボタンを操作する（Ｓ１０７）。
【００６９】
この実行ボタンの操作を受けて、実施状況通知が送信される。これにより、管理サーバ８側でクーポンの利用を把握することができる。この実施状況通知は、管理サーバー８１において、通信ネットワークを通じて受信され、受信された実施状況通知からデータが抽出され、集計される。この集計結果は、クーポンによるサービスを提供する条件に反映され、実行ボタンを有効化する際の条件として、移動端末に対して設定又は更新するようにしてもよい。
【００７０】
（作用・効果）
以上説明した実施形態によれば、例えば、ユーザーの現在位置（店舗内に在圏）や、現在時刻（サービス期間中）など所定の条件が満たされた場合に、アプリケーションの実行ボタン２２ｂが操作可能となる。この操作ボタンは、店員３に提示されるとともに、実行操作を店員３が行うことにより、クーポンの使用を適正に確認することができる。この実行ボタンの操作に応じて、実施状況通知が管理サーバに送信されるため、これを収集することで、サービス提供側において対面サービスの実施状況を把握することができる。
【００７１】
また、アプリケーションの実行ボタン２２ｂは、条件が満たされているときのみ操作が可能であることから、対面サービスに関係のない場所や時刻に、ユーザー１が誤って操作してしまうのを防止でき、サービスをより確実にユーザーに提供することができるとともに、より正確なマーケティング情報を収集することができる。
【００７２】
さらに、上記実施形態では、実施状況通知を収集することにより、使用された電子クーポンの総数をカウントしているため、先着１００名にのみ割引サービスを提供するなど、所定の人数に限定してサービスを提供したり、抽選などで任意又は無作為で選択したユーザーに対してのみ、サービスを提供することができ、サービスの多様化を図ることができる。
【００７３】
（変更例）
なお、上述した実施形態では、クーポン利用の有無のみを実施状況通知を介して収集するようにしたが、例えば図７に示すように、実行ボタンとともに、ユーザーの属性を入力するユーザー属性入力部２２ｃを表示させ、対面サービスを実施する際に、店員が当該ユーザーの年齢や性別を判断して、属性として入力するようにしてもよい。
【００７４】
この場合、実施状況通知部２５ｂは、ユーザー属性入力部２２ｃに入力されたユーザー属性を実施状況通知に含めて管理サーバー８１に送信する。これにより、サービス提供側で、年齢、性別などのユーザーの属性など、詳細なサービス実施状況を収集することができ、その集計結果を利用することにより、より精細なマーケティング情報を得ることができるとともに、ユーザー側のニーズに適合させたサービスを提供できる。さらに、ユーザー属性の入力は店員が行うので、ユーザーに対してユーザー登録等の手続を要求することなく、クーポンによるサービスを提供することができる。
【００７５】
また、このユーザー属性入力部２２ｃは、初回の使用時のみ、表示することもできる。例えば、クーポンによる割引サービスを初めて受けるときには、上記ユーザー属性入力部２２ｃを表示し、当該ユーザーの属性を収集し、当該移動端末の電話番号等の識別子と、このユーザーの属性情報を関連づけてユーザーデータベース８３に記録し、次回からは、属性情報の有無を参照し、属性情報が既に取得されているときには、ユーザー属性入力部２２ｃは表示しないようにする。
【００７６】
さらには、上記実施形態では、１回使用することにより使用済みとなり、それ以降使用ができなくなるクーポン券を例に説明したが、複数回使用可能なものとすることもできる。この場合には、図７に示すような、回数券のように、使用回数に上限を定めたり、サービス期間中は、上限無く繰り返し使えるようにするなど、利用条件を適宜定めることで、種々のサービス形態を提供することができる。
【００７７】
また、図９に示すように、タクシーチケットなど、チケットの使用開始位置と、使用終了位置とで実行ボタンの制御を行うようなサービスも可能である。例えば、タクシーの乗車地で「使用開始」の実行ボタン２２ｅをクリックし、その乗車地における位置情報と時刻とを関連づけて実施状況通知として管理サーバー８１に送信する。管理サーバー８１では、タクシーチケットの使用開始の情報としてその位置情報と時刻を履歴集計データベース８４に記録する。その後、降車地に到着した時点で、「使用済み」の実行ボタン２２ｆをクリックすることにより、降車地における位置情報と時刻とを関連づけて実施状況通知として管理サーバー８１に送信する。
【００７８】
タクシーの位置情報は、移動端末２の位置情報取得機能２３が、例えば、衛星５から受信したＧＰＳ信号に基づいて、現在位置の座標を演算したり、接続処理部２７が確立した通信相手である基地局の基地局識別子や、この基地局からの信号強度などの電波状況から取得することができる。また、タクシーの乗車時刻は、実行ボタン２２ｅをクリックした際の移動端末２の計時部２８が取得した現在時刻を時刻情報とすることができる。
【００７９】
管理サーバー８１では、タクシーチケットの使用完了の情報としてその位置情報と時刻とを履歴集計データベース８４に記録する。このサービス管理部８１７では、乗車地と降車地との距離から利用金額を算出し、課金情報としてユーザーデータベース８３に記録する。
【００８０】
なお、降車地での実行ボタンの操作について、例えば、乗車地から所定距離以内の利用のみ可能とするなどの制限をかけるようにしてもよい。この場合には、管理サーバ８１において、乗車地での位置情報から、当該タクシーチケットが利用可能な範囲を算出し、ユーザーデータベース８３に記録するとともに、それを条件設定部８１３に通知し、移動端末側に実行条件として設定させる。移動端末側では、タクシーに乗車し、チケットの利用が開始されると、現在位置を周期的に監視し、上記チケットが利用可能な範囲内であるか否かを参照し、範囲外になった時点で、実行ボタンを無効化する。これにより、タクシーチケットの利用範囲を管理することができ、不正な長距離利用を防止できる。
【００８１】
上述した実行条件は、任意の乗車位置からの所定距離以内の利用としたが、これに限定されず、特定の乗車位置からの所定距離以内の利用のみとすることや、特定の乗車地から特定の降車地への所定区間のみの利用とすることも可能である。この場合は、予めタクシーチケットを利用することができる乗車地や降車地を条件としてを設定することで、タクシーチケットの利用範囲を更に管理することができ、私的使用などの不正利用を防止することができる。
【符号の説明】
【００８２】
Ａ１…エリア
１…ユーザー
２…移動端末
３…店員
４…無線基地局
５…衛星
６…中継装置
７…インターネット
８…管理サーバ
２１…入力インターフェース
２２…出力インターフェース
２２ａ…表示部
２２ｂ…実行ボタン
２３…位置情報取得機能
２４…メモリ
２５…制御部
２５ａ…実行条件判定部
２５ｂ…実施状況通知部
２５ｃ…実行処理部
２５ｄ…ＵＩ制御部
２６…無線インターフェース
２７…接続処理部
２８…計時部
３０…店舗
４１…無線インターフェース
６１…通信部
６２…位置情報管理部
６３…データ変換部
６５…接続管理部
７１…インターネット
７２…公衆回線網
８１…管理サーバー
８３…ユーザーデータベース
８４…履歴集計データベース
８１０…クーポンデータベース
８１１…接続処理部
８１２…通信部
８１３…条件設定部
８１５…認証部
８１６…ユーザー登録部
８１７…サービス管理部
８１８…制御部
８１９…データベース管理部
【図１】
2011039700.tif 000003
【図２】
2011039700.tif 000004
【図３】
2011039700.tif 000005
【図４】
2011039700.tif 000006
【図５】
2011039700.tif 000007
【図６】
2011039700.tif 000008
【図７】
2011039700.tif 000009
【図８】
2011039700.tif 000010
【図９】
2011039700.tif 000011